(57)【要約】      （修正有）【課題】商品陳列棚の前部に配置する簡単な構造で低コストの表示シート支持具を提供する。【解決手段】支持具１１の第４部分形成部分２４が第１嵌入溝１０８ａ及び第２嵌入溝１０８ｂに係合することで、第４部分形成部分２４及び第５部分形成部分２５は溝内部１０７へ挿入され保持されている。第４部分形成部分２４の幅（第３折曲線と第４折曲線との間の距離）が入口１０６の最小寸法よりも大きく、かつ第４部分形成部分２４が溝内部１０７に安定に収容される程度の最大寸法とされている（該幅は最大寸法よりもやや大きくされることで第４部分形成部分２４が第１嵌入溝１０８ａ内面及び第２嵌入溝１０８ｂ内面に当接し少し撓んだ状態になっている）。【選択図】図７
0003176846.tif 000002
【実用新案登録請求の範囲】
【請求項１】
互いに略平行な第１嵌入溝及び第２嵌入溝を有する、商品陳列棚に配設されるレール部に取り付けられ、表示内容が記載された表示シートを支持する表示シート支持具であって、
第１嵌入溝に沿って当接する第１当接部と、第２嵌入溝に沿って当接する第２当接部と、を含み、第１当接部が第１嵌入溝に当接すると共に第２当接部が第２嵌入溝に当接することでレール部に取り付けられる取付部と、
表示シートを支持し、取付部に取り付けられる支持部と、
を備えてなり、
第１当接部及び第２当接部が、板状部材が折り曲げられることで形成される凸条面によって形成されるものである、表示シート支持具。
【請求項２】
取付部が、平板部材の一主表面を横断する互いに略平行な第１折り曲げ線及び第２折り曲げ線に沿って折り曲げられることで、第１折り曲げ線に沿って第１当接部が形成されると共に第２折り曲げ線に沿って第２当接部が形成されるものである、請求項１に記載の表示シート支持具。
【請求項３】
支持部が、相対するように配置された少なくとも一方が透明な一体又は別体の２枚の平板部材を含んでなり、該２枚の平板部材の間に表示シートの少なくとも一部が挟持されるものである、請求項１又は２に記載の表示シート支持具。
【請求項４】
透明な平板部材である原料板材の一主表面を横断する第１折り線と、第１折り線と交わらず該一主表面を横断する第４折り線と、第１折り線と第４折り線とのいずれにも交わらず第１折り線と第４折り線との間に存する該一主表面の部分を横断する第２折り線と、第２折り線と第４折り線とのいずれにも交わらず第２折り線と第４折り線との間に存する該一主表面の部分を横断する第３折り線と、によって原料板材が、第１折り線と第２折り線との間に存する第２部分と、第２折り線と第３折り線との間に存する第３部分と、第３折り線と第４折り線との間に存する第４部分と、第１折り線によって区切られた両側の部分のうち第２部分とは反対の部分である第１部分と、第４折り線によって区切られた両側の部分のうち第４部分とは反対の部分である第５部分と、に分割され、第１折り線及び第３折り線に沿って谷折りされ、第２折り線及び第４折り線に沿って山折りされることで、第１部分と第２部分とによって両部分の間に表示シートを支持する支持部が構成され、第３折り線に沿って他主表面に形成された凸条面が第１当接部を構成し第４折り線に沿って該一主表面に形成された凸条面が第２当接部を構成することで第３部分、第４部分及び第５部分によって取付部が構成されるものである、請求項１乃至３のいずれか１に記載の表示シート支持具。
【請求項５】
第１折り線、第２折り線、第３折り線及び第４折り線が略平行である、請求項４に記載の表示シート支持具。
【請求項６】
前記一主表面が、互いに略平行な一対の外辺を有しており、該外辺と第１折り線、第２折り線、第３折り線及び第４折り線とが略平行である、請求項５に記載の表示シート支持具。
【請求項７】
前記一対の外辺のうち、第１折り線が近い外辺と第１折り線との間の距離である第１距離と、第１折り線と第２折り線との間の距離である第２距離と、が略等しいものである、請求項６に記載の表示シート支持具。
【請求項８】
第２折り線と第３折り線との間の距離である第３距離が第１距離及び第２距離に略等しいものである、請求項７に記載の表示シート支持具。
【請求項９】
第１当接部及び第２当接部が弾性変形可能なものである、請求項１乃至８のいずれか１に記載の表示シート支持具。
【考案の詳細な説明】
【技術分野】
【０００１】
本考案は、表示シート支持具に関し、より詳細には、商店等において商品を陳列する商品陳列棚に配設（通常、商品陳列棚の前部（商品を購入するお客側）に配設）されるレール部に取り付けられて、表示内容が記載された表示シートを支持するための表示シート支持具に関する。
【背景技術】
【０００２】
表示内容が記載された表示シートを支持するための表示シート支持具は、商品を販売する商品等においてこれまで用いられてきた（例えば、特許文献１参照）。
特許文献１には、「既設のフロントレールに取り付けられた表示カードはそのままの状態にし、大型の表示カードを取付け得る表示具を商品陳列棚の前端に装着し、しかも既設の表示カードのバーコードを読み取ることができるようにした陳列棚用表示具を提供する」（発明の詳細な説明、段落番号００１４）ためになされたものであり、具体的には、「棚板の前端に設けられたフロントレールの後部の嵌合溝又は棚板の前端に設けられた立設部材に取り付ける陳列棚用表示具であって、横方向に長尺を成す表示具本体の下部に前記フロントレールの嵌合溝に差し込む差込部と、前記表示具本体の上部付近にて前側に突出すると共に下方へ屈曲して前記立設部材を挟持する挟持片と、前記表示用本体の上部前側に沿って設けられた屈曲部により屈曲自在に結合されたカード支持板と、該カード支持板の下端を上方へ折り返して成るカード押さえ板とを有することを特徴とする」（発明の詳細な説明、段落番号００１５）陳列棚用表示具が開示されている。かかる「本発明の陳列用表示具によれば、棚板の前端に設けられたフロントレールの後部の嵌合溝に取り付けるか、棚板の前端に設けられた立設部材に取り付けるものであり、そのいずれにも取付け可能である。しかも、棚板の前端にフロントレールを取り付けたままにして、該棚板の前端に本発明の表示具を取り付けることができ、さらにはこのように本発明の表示具を取り付けた状態で、カード支持板を上方に持ち上げると、屈曲部を中心としてカード支持板が回転するように持ち上がり、その下方のフロントレールに設けられた表示カードを露呈させることができる。従って、例えばフロントレールの表示カードにバーコードが記載されている場合、本発明による表示具を取り除かなくても、カード支持板を持ち上げてその下方のフロントレール側のバーコードに読取装置を当てて読取ることができるため、販売主側にとっては作業性が非常に良くなるという利点を有する。」（発明の詳細な説明、段落番号００３８〜００４０）というものである。
【０００３】
即ち、特許文献１の陳列棚用表示具は、商店等において商品を陳列する商品陳列棚の前部に取り付けられて、表示内容が記載された表示シート（大型の表示カード）を支持するための表示シート支持具である。
【先行技術文献】
【特許文献】
【０００４】
【特許文献１】特開２００４−２９８４１９号公報（例えば、要約、段落番号００１０〜００１５、００３８〜００４０、第１図、第２図等）
【考案の概要】
【考案が解決しようとする課題】
【０００５】
このような特許文献１に開示されたような表示シート支持具（特許文献１の陳列棚用表示具）は、上述の如く、大型の表示カードを支持した「カード支持板を上方に持ち上げると、屈曲部を中心としてカード支持板が回転するように持ち上がり、その下方のフロントレールに設けられた表示カードを露呈させること」ができるので、「本発明による表示具を取り除かなくても、カード支持板を持ち上げてその下方のフロントレール側のバーコードに読取装置を当てて読取ることができる」ことを要する場合には便利であるが、特許文献１の表示シート支持具は構造が複雑でいきおい高価格である。特に、表示シート支持具が支持した表示シートが見やすく支持されればよく、フロントレールに設けられた表示シートを露呈させる必要がない場合には、より簡単な構造で低コストの表示シート支持具が求められる。
【０００６】
そこで、本考案では、簡単な構造で低コストの表示シート支持具を提供することを目的とする。
【課題を解決するための手段】
【０００７】
本考案の表示シート支持具（以下、「本支持具」という。）は、互いに略平行な第１嵌入溝及び第２嵌入溝を有する、商品陳列棚に配設されるレール部に取り付けられ、表示内容が記載された表示シートを支持する表示シート支持具であって、第１嵌入溝に沿って当接する第１当接部と、第２嵌入溝に沿って当接する第２当接部と、を含み、第１当接部が第１嵌入溝に当接すると共に第２当接部が第２嵌入溝に当接することでレール部に取り付けられる取付部と、表示シートを支持し、取付部に取り付けられる支持部と、を備えてなり、第１当接部及び第２当接部が、板状部材が折り曲げられることで形成される凸条面によって形成されるものである、表示シート支持具である。
【０００８】
本支持具は、互いに略平行な第１嵌入溝及び第２嵌入溝を有する、商品陳列棚に配設されるレール部に取り付けられ、表示内容が記載された表示シートを支持する表示シート支持具である。即ち、本支持具は、商品陳列棚に配設されるレール部（商品陳列棚に一体に形成される場合と商品陳列棚とは別体のレール部を商品陳列棚に取り付ける場合との両方を含む）に取り付けられる。レール部は、互いに略平行な第１嵌入溝及び第２嵌入溝を有する。レール部は、板状の支持物の互いに略平行な第１外縁及び第２外縁を第１嵌入溝及び第２嵌入溝に係合させることで支持物を支持することができるように形成され、例えば、商品陳列棚に陳列される商品の価格や品質等を表示した表示カード等を板状の支持物として支持する目的で配設される。そして、本支持具は、表示内容が記載された表示シートを支持する。
本支持具は、取付部と支持部とを備えてなる。
取付部は、レール部の第１嵌入溝に沿って当接する第１当接部と、レール部の第２嵌入溝に沿って当接する第２当接部と、を含む。取付部は、第１当接部が第１嵌入溝に当接すると共に第２当接部が第２嵌入溝に当接することでレール部に取り付けられる。
支持部は、表示シートを支持し、取付部に取り付けられる。
そして、取付部の第１当接部及び第２当接部が、板状部材が折り曲げられることで形成される凸条面によって形成されるものである。このような板状部材が折り曲げられることで形成される凸条面（折り曲げられた尾根部分の凸面）によって第１当接部及び第２当接部を形成することで、第１当接部及び第２当接部がそれぞれ第１嵌入溝及び第２嵌入溝に当接する際、各当接部と各嵌入溝との間に引っかかりが生じることを防止又は減少させることで（板状部材をその両主表面に対して垂直方向に切断した端部が当接部を形成する場合であれば、端部が嵌入溝の面に強く当接すること等により、引っかかりが生じやすい）、本支持具の取付部をレール部に取り付けたり取り外す作業を円滑に行うことができると共に、レール部に取り付けた本支持具をレール部に対してレール部の長手方向に円滑に移動させることができるので、本取付具の使用を便ならしめることができる。
以上のようにして、本支持具の取付部がレール部に取り付けられ、取付部に取り付けられた支持部が表示シートを支持することで、本支持具は、商品陳列棚に配設されるレール部に取り付けられ、表示内容が記載された表示シートを支持する。このように本支持具は、レール部の第１嵌入溝に沿って当接する第１当接部と、レール部の第２嵌入溝に沿って当接する第２当接部と、を含む取付部によってレール部に取り付けられることができるので、簡単な構造で低コストの表示シート支持具とすることができる。
【０００９】
本支持具においては、取付部が、平板部材の一主表面を横断する互いに略平行な第１折り曲げ線及び第２折り曲げ線に沿って折り曲げられることで、第１折り曲げ線に沿って第１当接部が形成されると共に第２折り曲げ線に沿って第２当接部が形成されるものであってもよい。
こうすることで、平板部材をその一主表面を横断する互いに略平行な第１折り曲げ線及び第２折り曲げ線に沿って折り曲げることで（第１折り曲げ線及び第２折り曲げ線の一方を該一主表面側から見たときに山折りすると共に他方を谷折りする）、容易かつ確実に第１折り曲げ線に沿って第１当接部を形成すると共に第２折り曲げ線に沿って第２当接部を形成することができる。
【００１０】
本支持具においては、支持部が、相対するように配置された少なくとも一方が透明な一体又は別体の２枚の平板部材を含んでなり、該２枚の平板部材の間に表示シートの少なくとも一部が挟持されるものであってもよい。
このような相対するように配置された少なくとも一方（無論、両方でもよい）が透明な一体又は別体の２枚の平板部材を支持部が含んでなり、該２枚の平板部材の間に表示シートの少なくとも一部が挟持されることで、該２枚の平板部材の間に挟持された表示シートに記載された表示内容が該２枚の平板部材の透明なものを通して目視できる。これにより、表示シートに記載された表示内容が目視可能な状態で表示シートを該２枚の平板部材の間に挟持できる。
【００１１】
本支持具においては、透明な平板部材である原料板材の一主表面を横断する第１折り線と、第１折り線と交わらず該一主表面を横断する第４折り線と、第１折り線と第４折り線とのいずれにも交わらず第１折り線と第４折り線との間に存する該一主表面の部分を横断する第２折り線と、第２折り線と第４折り線とのいずれにも交わらず第２折り線と第４折り線との間に存する該一主表面の部分を横断する第３折り線と、によって原料板材が、第１折り線と第２折り線との間に存する第２部分と、第２折り線と第３折り線との間に存する第３部分と、第３折り線と第４折り線との間に存する第４部分と、第１折り線によって区切られた両側の部分のうち第２部分とは反対の部分である第１部分と、第４折り線によって区切られた両側の部分のうち第４部分とは反対の部分である第５部分と、に分割され、第１折り線及び第３折り線に沿って谷折りされ、第２折り線及び第４折り線に沿って山折りされることで、第１部分と第２部分とによって両部分の間に表示シートを支持する支持部が構成され、第３折り線に沿って他主表面に形成された凸条面が第１当接部を構成し第４折り線に沿って該一主表面に形成された凸条面が第２当接部を構成することで第３部分、第４部分及び第５部分によって取付部が構成されるもの（以下、「一体本支持具」という）であってもよい。
一体本支持具は、透明な平板部材である原料板材を含んで構成される。原料板材の一主表面（原料板材が折り線に沿って折られていない際の原料板材の両主表面のうちの一面）には、該一主表面を横断する第１折り線と、第１折り線と交わらず該一主表面を横断する第４折り線と、第１折り線と第４折り線とのいずれにも交わらず第１折り線と第４折り線との間に存する該一主表面の部分を横断する第２折り線と、第２折り線と第４折り線とのいずれにも交わらず第２折り線と第４折り線との間に存する該一主表面の部分を横断する第３折り線と、が存する（第１折り線乃至第４折り線のいずれも仮想上の線分であり、該一主表面には、第１折り線、第２折り線、第３折り線、第４折り線の順番で存する。）。かかる第１乃至第４折り線によって、原料板材は、第１折り線と第２折り線との間に存する第２部分と、第２折り線と第３折り線との間に存する第３部分と、第３折り線と第４折り線との間に存する第４部分と、第１折り線によって区切られた両側の部分のうち第２部分とは反対の部分である第１部分と、第４折り線によって区切られた両側の部分のうち第４部分とは反対の部分である第５部分と、に分割（実施に分割されるものではなく、原料板材は一体である）される。そして、原料板材は、第１折り線及び第３折り線に沿って谷折りされ、第２折り線及び第４折り線に沿って山折りされることで、第１部分と第２部分とによって両部分（第１部分、第２部分）の間に表示シートを支持する支持部が構成され、第３折り線に沿って他主表面に形成された凸条面（第３折り線に沿って折り曲げられた尾根部分の凸面であり、該一主表面とは反対の面である他主表面に形成される）が第１当接部を構成し、そして第４折り線に沿って該一主表面に形成された凸条面（第４折り線に沿って折り曲げられた尾根部分の凸面であり、該一主表面に形成される）が第２当接部を構成することで、第３部分、第４部分及び第５部分によって取付部が構成される。
かかる一体本支持具では、透明な平板部材である原料板材を、第１折り線乃至第４折り線の４本の折り線に沿って折ることで、第１部分と第２部分とにより表示シートを支持する支持部が構成されると共に、第３部分、第４部分及び第５部分によって取付部が構成されるので、容易かつ安価に本支持具を製造できる。
【００１２】
一体本支持具においては、第１折り線、第２折り線、第３折り線及び第４折り線が略平行なもの（以下、「平行一体本支持具」という）であってもよい。
こうすることで、第１折り線と第２折り線との間に存する第２部分と、第２折り線と第３折り線との間に存する第３部分と、第３折り線と第４折り線との間に存する第４部分と、が同じ方向（第１折り線、第２折り線、第３折り線及び第４折り線が平行な方向）に向かって形成されると共に、該同じ方向に沿って第２部分の幅が一定であり、該同じ方向に沿って第３部分の幅が一定であり、そして該同じ方向に沿って第４部分の幅が一定である。このため第４部分の第３折り線及び第４折り線に沿って略平行に第１当接部及び第２当接部をうまく形成できるので、レール部の長手方向と略平行に第４部分を配置することができ、さらに第４部分に対して第１折り線（通常、表示シートの下縁が沿う）、第２部分及び第３部分が略平行にのびるように配置されるので、レール部の長手方向に沿って表示シートをうまく支持することができる。
【００１３】
平行一体本支持具においては、前記一主表面が、互いに略平行な一対の外辺を有しており、該外辺と第１折り線、第２折り線、第３折り線及び第４折り線とが略平行であってもよい（以下、「平行外辺一体本支持具」という）。
こうすることで第２部分、第３部分及び第４部分が沿って形成される前記同じ方向に沿って第１部分の幅が一定であり、前記同じ方向に沿って第５部分の幅が一定であるので、第１部分（特に、表示シートを観察する側から見える第１部分の見栄えは重要である）及び第５部分の見栄えを良くすると共に、両主表面が長方形を略なす一般的な原料板材を使用する際、該長方形の一対の辺を該一対の外辺としてうまく本支持具を形成することができる。
【００１４】
平行外辺一体本支持具においては、前記一対の外辺のうち、第１折り線が近い外辺と第１折り線との間の距離である第１距離と、第１折り線と第２折り線との間の距離である第２距離と、が略等しいもの（以下、「第１及び第２距離同一本支持具」という）であってもよい。
こうすることで、間に表示シートを支持（通常、挟持）する支持部を構成する第１部分及び第２部分の幅が略等しいことから、表示シートの表面側（第１部分が面する）と裏面側（第２部分が面する）とがほぼ同じ幅で支持されることから表示シートを確実かつ容易に支持させることができる。
【００１５】
第１及び第２距離同一本支持具においては、第２折り線と第３折り線との間の距離である第３距離が第１距離及び第２距離に略等しいものであってもよい。
こうすることで第１部分及び第２部分により形成される支持部の第１折り線に近い位置に第３折り線を位置させることができるので、第３折り線に沿って形成される第１当接部をレール部の下側の嵌入溝（第１嵌入溝）に当接させれば、表示シートの下縁（通常、第１折り線の近くに配置される）をレール部の下縁に沿って表示シートを見やすく支持することができる。
【００１６】
本支持具においては、第１当接部及び第２当接部が弾性変形可能なものであってもよい。
レール部に取付部を取り付ける場合、第１当接部を第１嵌入溝に当接させると共に第２当接部を第２嵌入溝に当接させるが、第１当接部及び第２当接部が弾性変形可能であれば、第１当接部及び第２当接部を弾性変形させつつ（通常、第１当接部と第２当接部との間の距離を縮めるように弾性変形させる）第１当接部及び第２当接部を第１嵌入溝及び第２嵌入溝に容易に係合させたり取り外すことができる。
【図面の簡単な説明】
【００１７】
【図１】本考案の一実施形態の表示シート支持具（本支持具）を示す正面図（一部省略）である。
【図２】図１のＡ−Ａ断面図である。
【図３】本支持具が装着される商品陳列棚を示す正面図である。
【図４】図３のＢ−Ｂ断面図である。
【図５】本支持具が商品陳列棚のレール部に装着される第１ステップを示す断面図である。
【図６】本支持具が商品陳列棚のレール部に装着される第２ステップを示す断面図である。
【図７】本支持具が商品陳列棚のレール部に装着された状態を示す断面図である。
【図８】図７に示した状態の本支持具が価格表示カードを保持したところを正面から見たところを示す図である。
【図９】本支持具を形成する合成樹脂板を示す平面図である。
【考案を実施するための形態】
【００１８】
本考案の実施の形態を図面を参照して詳述するが、本考案はこれに限定されるものではない。
【００１９】
図１は、本考案の表示シート支持具（本支持具）１１を示す正面図（一部省略）であり、図２は図１のＡ−Ａ断面図であり、そして図９は本支持具１１を形成する一枚の合成樹脂板５０１を示す平面図（合成樹脂板５０１の両主表面のうち一主表面５０３側から見たところを示している）である。図１、図２及び図９を参照して、本支持具１１について説明する。
本支持具１１は、ここでは一枚の合成樹脂板５０１を折り畳むように成形（加熱成形）することで一体に形成されている。かかる合成樹脂板５０１は、可撓性を有し弾性変形可能であり、無色かつ透明な合成樹脂（具体的には、ここではポリエチレンテレフタレート）によって形成されている。詳述すれば、両主表面（一主表面５０３及び他主表面５０４）が長方形をなす合成樹脂板５０１の一主表面５０３がなす長方形の互いに平行な２辺１３ａ、１３ｂのうちの一方である基準辺１３ｂと距離Ｄ１を隔てかつ基準辺１３ｂに略平行な第１折曲線５２１と、基準辺１３ｂと距離（２×Ｄ１）を隔てかつ基準辺１３ｂに略平行な第２折曲線５２２と、基準辺１３ｂと距離（３×Ｄ１）を隔てかつ基準辺１３ｂに略平行な第３折曲線５２３と、基準辺１３ｂと距離（Ｄ２＋３×Ｄ１）を隔てかつ基準辺１３ｂに略平行な第４折曲線５２４と、の４本の折曲線に沿って該合成樹脂板が折り曲げられて形成されている。なお、図９においては、理解を容易にするため、第１折曲線５２１、第２折曲線５２２、第３折曲線５２３及び第４折曲線５２４を実線及び点線を用いて表しているが、これらは仮想上の線であり実際にこのような線が合成樹脂板５０１に描かれることを要するものではなく、また、実線にて示された第２折曲線５２２及び第４折曲線５２４は一主表面５０３側から見たときに山折りされることを示し、点線にて示された第１折曲線５２１及び第３折曲線５２３は一主表面５０３側から見たときに谷折りされることを示している。このように合成樹脂板５０１は、第１折曲線５２１と第２折曲線５２２との間に存する第２部分２２ａと、第２折曲線５２２と第３折曲線５２３との間に存する第３部分２３ａと、第３折曲線５２３と第４折曲線５２４との間に存する第４部分２４ａと、第１折曲線５２１によって区切られた両側の部分のうち第２部分２２ａとは反対の部分である第１部分２１ａと、第４折曲線５２４によって区切られた両側の部分のうち第４部分２４ａとは反対の部分である第５部分２５ａと、に分割される。かかる合成樹脂板５０１を加熱しこれら第１折曲線５２１、第２折曲線５２２、第３折曲線５２３及び第４折曲線５２４に沿って折り曲げ（約１８０度折り曲げられる）られた後に冷却されることで（塑性変形）、図１及び図２に示すような本支持具１１が形成される。
このため本支持具１１は、基準辺１３ｂと平行な連続方向Ｌ２に沿って形成されており、連続方向Ｌ２に対して垂直な断面における本支持具１１の断面はいずれの位置においてもほぼ同じ形状（図２）を有している。これら４本の第１折曲線５２１、第２折曲線５２２、第３折曲線５２３及び第４折曲線５２４に沿って折り曲げられる前の合成樹脂板５０１（両主表面５０３、５０４とも平面に沿っている状態）における２辺１３ａ、１３ｂ互いの間の距離Ｄは、（Ｄ２＋３×Ｄ１）よりも大きくかつ（２×Ｄ２＋３×Ｄ１）よりも小さい。
【００２０】
平板状の合成樹脂板５０１を第１折曲線５２１、第２折曲線５２２、第３折曲線５２３及び第４折曲線５２４の４本に沿って折り曲げることで本支持具１１の５の部分が形成されている。即ち、該５の部分は、基準辺１３ｂと第１折曲線５２１との間に形成される第１部分形成部分２１（第１部分形成部分２１になる合成樹脂板５０１の部分を図９中に第１部分２１ａとして示す）、第１折曲線５２１と第２折曲線５２２との間に形成される第２部分形成部分２２（第２部分形成部分２２になる合成樹脂板５０１の部分を図９中に第２部分２２ａとして示す）、第２折曲線５２２と第３折曲線５２３との間に形成される第３部分形成部分２３（第３部分形成部分２３になる合成樹脂板５０１の部分を図９中に第３部分２３ａとして示す）、第３折曲線５２３と第４折曲線５２４との間に形成される第４部分形成部分２４（第４部分形成部分２４になる合成樹脂板５０１の部分を図９中に第４部分２４ａとして示す）、そして第４折曲線５２４と辺１３ａとの間に形成される第５部分形成部分２５（第５部分形成部分２５になる合成樹脂板５０１の部分を図９中に第５部分２５ａとして示す）を含んでなる（特に図２及び図９を参照）。
第１折曲線５２１乃至第４折曲線５２４までの折り曲げ方向は、上側（図１及び図２において上方向を矢印Ｃ１にて示した）から見たときに谷折（第１折曲線５２１）、山折（第２折曲線５２２）、谷折（第３折曲線５２３）、山折（第４折曲線５２４）のように谷折と山折とが交互になっていると共に、第１折曲線から第４折曲線までの折り曲げ角度はいずれも約１８０度であるので、第１部分形成部分２１、第２部分形成部分２２、第３部分形成部分２３、第４部分形成部分２４及び第５部分形成部分２５はほぼ重合している（第１部分形成部分２１、第２部分形成部分２２、第３部分形成部分２３は互いに同じ大きさで丁度重なっている）。加えて、本支持具１１を形成する前述の合成樹脂板５０１は十分な可撓性を有するので、第１部分形成部分２１と第２部分形成部分２２との間、第２部分形成部分２２と第３部分形成部分２３との間、第３部分形成部分２３と第４部分形成部分２４との間、そして第４部分形成部分２４と第５部分形成部分２５との間は、いずれも弾性的に拡げることができる（弾性変形）。
【００２１】
本支持具１１の使用方法について説明する。
図３は、本支持具１１が装着される商品陳列棚１０１を示す正面図であり、図４は図３のＢ−Ｂ断面図である。図３及び図４を参照して商品陳列棚１０１について説明する。商品陳列棚１０１は、上面１０３に商品２０１（ここではリンゴ）を載置し、図示しない買い物客が目視等により商品２０１を購入しやすくするための既存のものである。商品陳列棚１０１は、前端にレール部１０５が連続方向Ｌ１（ここでは水平方向に略沿っている）に連続して形成されており、連続方向Ｌ１に対して垂直な断面におけるレール部１０５の断面は図３の断面と同様である（連続方向Ｌ１に対するレール部１０５の垂直断面形状は、いずれの場所も図３と同様の形状を有している。）。レール部１０５は、連続方向Ｌ１に沿って立ち上がるように形成された下凸状部１０５ａと、連続方向Ｌ１に沿って垂れ下がるように形成された上凸状部１０５ｂと、の間に形成された入口１０６によって外部空間１２１と連通する溝内部１０７を有している。連続方向Ｌ１に対して垂直な断面における入口１０６の最小寸法Ｅ１は、連続方向Ｌ１に対して垂直な断面における溝内部１０７の最大寸法Ｅ２（最小寸法Ｅ１と最大寸法Ｅ２とは互いに平行方向）よりも小さく形成されている（特に図４参照）。かかるレール部１０５は、下凸状部１０５ａの溝内部１０７側に連続方向Ｌ１に沿って形成された第１嵌入溝１０８ａと、上凸状部１０５ｂの溝内部１０７側に連続方向Ｌ１に沿って形成された第２嵌入溝１０８ｂと、を有している（特に図４参照。第１嵌入溝１０８ａと第２嵌入溝１０８ｂとは互いに略平行である）。
【００２２】
図５は、本支持具１１が商品陳列棚１０１のレール部１０５に装着される第１ステップを示す断面図である。なお、図５乃至図７においては、図示及び理解を容易にするため本支持具１１の厚みを省略し、本支持具１１を線によって示している（本支持具１１は図２と同様の断面を示している）。また、図５の商品陳列棚１０１は図４と同様の断面を示している。
本支持具１１の第４部分形成部分２４を第３部分形成部分２３から引き離すように力を加え（本支持具１１は可撓性を有するので弾性変形させる）、図５に示すように連続方向Ｌ２が連続方向Ｌ１と略平行な状態において第４部分形成部分２４と第３部分形成部分２３とが上凸状部１０５ｂを挟むように、第４折曲線５２４近傍部分の第４部分形成部分２４及び第５部分形成部分２５を入口１０６から溝内部１０７へ挿入する。
【００２３】
図６は、本支持具１１が商品陳列棚１０１のレール部１０５に装着される第２ステップを示す断面図である。図６が示す断面位置は、図５が示す断面の位置と同じである。
図５の第１ステップ完了後、第４折曲線５２４近傍部分の第４部分形成部分２４及び第５部分形成部分２５が第２嵌入溝１０８ｂに保持されたまま、本支持具１１を商品陳列棚１０１に対して図５において反時計回りに回動（約９０度）させる。その回動後、第２部分形成部分２２を第３部分形成部分２３から引き離すように力を加え（本支持具１１を弾性変形させる）、図６の如く、第２部分形成部分２２と第３部分形成部分２３との間に本支持具１１の装着者（不図示）の指３０１を挿入する。その後、第３部分形成部分２３を図６中の矢印方向（溝内部１０７方向）に押圧し、第４部分形成部分２４を溝内部１０７に連続方向Ｌ２に沿って嵌入する。これにより第３折曲線５２３近傍部分の第３部分形成部分２３及び第４部分形成部分２４が第１嵌入溝１０８ａに嵌入され保持される。第４部分形成部分２４の溝内部１０７への嵌入後、第２部分形成部分２２と第３部分形成部分２３との間から指３０１を抜き取る。
【００２４】
図７は、本支持具１１が商品陳列棚１０１のレール部１０５に装着された状態を示す断面図である。図７が示す断面位置は、図６が示す断面位置と同じである。
図７には、第２ステップによって商品陳列棚１０１のレール部１０５に装着された本支持具１１が示されている。本支持具１１の第４部分形成部分２４が第１嵌入溝１０８ａ及び第２嵌入溝１０８ｂに係合することで、第４部分形成部分２４及び第５部分形成部分２５は溝内部１０７へ挿入され保持されている。第４部分形成部分２４の幅（第３折曲線５２３と第４折曲線５２４との間の距離Ｄ２）が入口１０６の最小寸法Ｅ１よりも大きく、かつ第４部分形成部分２４が溝内部１０７に安定に収容される程度の最大寸法Ｅ２とされている（該幅は最大寸法Ｅ２よりもやや大きくされることで第４部分形成部分２４が第１嵌入溝１０８ａ内面及び第２嵌入溝１０８ｂ内面に当接し少し撓んだ状態になっている）。このように第４部分形成部分２４が溝内部１０７へ嵌入され溝内部１０７に安定して保持されることで、本支持具１１は商品陳列棚１０１のレール部１０５に確実かつ容易に取り付けられる。なお、図７の状態から本支持具１１を商品陳列棚１０１のレール部１０５から取り外す場合は、第４部分形成部分２４に力を加え撓ませて入口１０６から第４部分形成部分２４を抜き取ればよい。
図７に示した状態において、本支持具１１の第１部分形成部分２１と第２部分形成部分２２との間に価格表示カード４０１を挿入する。前述の如く、第１部分形成部分２１と第２部分形成部分２２とはほぼ当接しているので、薄い価格表示カード４０１であっても第１部分形成部分２１と第２部分形成部分２２との間に確実に挟持され保持される。
【００２５】
図８は、図７に示した状態の本支持具１１が価格表示カード４０１を保持したところを正面から見たところを示す図（図７中、矢印Ｆ方向から見たところを示している）である。
価格表示カード４０１の表面には、「特価  青森産  りんご  １００円」との記載があり、本支持具１１の第１部分形成部分２１と第２部分形成部分２２との間に価格表示カード４０１が挟持されていても本支持具１１の第１部分形成部分２１が無色透明であるため、価格表示カード４０１の記載内容が明瞭に視認できる。なお、前述の如く、商品陳列棚１０１の上面１０３に商品２０１（ここではリンゴ）を載置して買い物客（不図示）に供すればよい。
【００２６】
以上説明の通り、本支持具１１は、互いに略平行な第１嵌入溝１０８ａ及び第２嵌入溝１０８ｂを有する、商品陳列棚１０１に配設されるレール部１０５に取り付けられ、表示内容（ここでは「特価  青森産  りんご  １００円」）が記載された表示シート（ここでは価格表示カード４０１）を支持する表示シート支持具であって、第１嵌入溝１０８ａに沿って当接する第１当接部（ここでは第３折曲線５２３に沿って他主表面５０４に形成された凸条面２９ａ（図２参照））と、第２嵌入溝１０８ｂに沿って当接する第２当接部（ここでは第４折曲線５２４に沿って一主表面５０３に形成された凸条面２９ｂ（図２参照））と、を含み、第１当接部（凸条面２９ａ）が第１嵌入溝１０８ａに当接すると共に第２当接部（凸条面２９ｂ）が第２嵌入溝１０８ｂに当接することでレール部１０５に取り付けられる取付部（ここでは第３部分形成部分２３、第４部分形成部分２４及び第５部分形成部分２５を含んで構成される）と、表示シート（価格表示カード４０１）を支持し、取付部（第３部分形成部分２３、第４部分形成部分２４及び第５部分形成部分２５）に取り付けられる支持部（ここでは第１部分形成部分２１及び第２部分形成部分２２を含んで構成される）と、を備えてなり、第１当接部（凸条面２９ａ）及び第２当接部（凸条面２９ｂ）が、板状部材（ここでは合成樹脂板５０１）が折り曲げられることで形成される凸条面によって形成されるものである、表示シート支持具である。なお、レール部１０５は、板状の支持物（例えば、価格を記載したカード）の互いに略平行な第１外縁及び第２外縁を第１嵌入溝１０８ａ及び第２嵌入溝１０８ｂに係合させることで支持物を支持することができる従来から存在するものである。
【００２７】
本支持具１１においては、取付部（第３部分形成部分２３、第４部分形成部分２４及び第５部分形成部分２５）が、平板部材（ここでは合成樹脂板５０１）の一主表面５０３を横断する互いに略平行な第１折り曲げ線（ここでは第３折曲線５２３）及び第２折り曲げ線（ここでは第４折曲線５２４）に沿って折り曲げられることで、第１折り曲げ線（第３折曲線５２３）に沿って第１当接部（凸条面２９ａ）が形成されると共に第２折り曲げ線（第４折曲線５２４）に沿って第２当接部（凸条面２９ｂ）が形成されるものである。
本支持具１１においては、支持部（第１部分形成部分２１及び第２部分形成部分２２）が、相対するように配置された少なくとも一方（ここでは両方）が透明な一体又は別体（ここでは一体）の２枚の平板部材（第１部分形成部分２１、第２部分形成部分２２）を含んでなり、該２枚の平板部材（第１部分形成部分２１、第２部分形成部分２２）の間に表示シート（価格表示カード４０１）の少なくとも一部（ここでは全部）が挟持されるものである。
【００２８】
本支持具１１においては、透明な平板部材である原料板材（ここでは合成樹脂板５０１）の一主表面５０３を横断する第１折り線（ここでは第１折曲線５２１）と、第１折り線（第１折曲線５２１）と交わらず該一主表面５０３を横断する第４折り線（ここでは第４折曲線５２４）と、第１折り線（第１折曲線５２１）と第４折り線（第４折曲線５２４）とのいずれにも交わらず第１折り線（第１折曲線５２１）と第４折り線（第４折曲線５２４）との間に存する該一主表面５０３の部分を横断する第２折り線（ここでは第２折曲線５２２）と、第２折り線（第２折曲線５２２）と第４折り線（第４折曲線５２４）とのいずれにも交わらず第２折り線（第２折曲線５２２）と第４折り線（第４折曲線５２４）との間に存する該一主表面５０３の部分を横断する第３折り線（ここでは第３折曲線５２３）と、によって原料板材（合成樹脂板５０１）が、第１折り線（第１折曲線５２１）と第２折り線（第２折曲線５２２）との間に存する第２部分２２ａと、第２折り線（第２折曲線５２２）と第３折り線（第３折曲線５２３）との間に存する第３部分２３ａと、第３折り線（第３折曲線５２３）と第４折り線（第４折曲線５２４）との間に存する第４部分２４ａと、第１折り線（第１折曲線５２１）によって区切られた両側の部分のうち第２部分２２ａとは反対の部分である第１部分２１ａと、第４折り線（第４折曲線５２４）によって区切られた両側の部分のうち第４部分２４ａとは反対の部分である第５部分２５ａと、に分割され、第１折り線（第１折曲線５２１）及び第３折り線（第３折曲線５２３）に沿って谷折りされ、第２折り線（第２折曲線５２２）及び第４折り線（第４折曲線５２４）に沿って山折りされることで、第１部分２１ａと第２部分２２ａとによって両部分２１ａ、２２ａの間に表示シート（価格表示カード４０１）を支持する支持部（第１部分形成部分２１及び第２部分形成部分２２）が構成され、第３折り線（第３折曲線５２３）に沿って他主表面５０４に形成された凸条面（凸条面２９ａ）が第１当接部を構成し第４折り線（第４折曲線５２４）に沿って該一主表面５０３に形成された凸条面（凸条面２９ｂ）が第２当接部を構成することで第３部分２３ａ、第４部分２４ａ及び第５部分２５ａによって取付部（第３部分形成部分２３、第４部分形成部分２４及び第５部分形成部分２５）が構成されるものである。
【００２９】
本支持具１１においては、第１折り線（第１折曲線５２１）、第２折り線（第２折曲線５２２）、第３折り線（第３折曲線５２３）及び第４折り線（第４折曲線５２４）が略平行である。
本支持具１１においては、前記一主表面５０３が、互いに略平行な一対の外辺（２辺１３ａ、１３ｂ）を有しており、該外辺（２辺１３ａ、１３ｂ）と第１折り線（第１折曲線５２１）、第２折り線（第２折曲線５２２）、第３折り線（第３折曲線５２３）及び第４折り線（第４折曲線５２４）とが略平行である。
本支持具１１においては、前記一対の外辺（２辺１３ａ、１３ｂ）のうち、第１折り線（第１折曲線５２１）が近い外辺（辺１３ｂ）と第１折り線（第１折曲線５２１）との間の距離である第１距離（ここでは距離Ｄ１）と、第１折り線（第１折曲線５２１）と第２折り線（第２折曲線５２２）との間の距離である第２距離（ここでは距離Ｄ１）と、が略等しいものである。
本支持具１１においては、第２折り線（第２折曲線５２２）と第３折り線（第３折曲線５２３）との間の距離である第３距離（ここでは距離Ｄ１）が第１距離（ここでは距離Ｄ１）及び第２距離（ここでは距離Ｄ１）に略等しいものである。
本支持具１１においては、第１当接部（凸条面２９ａ）及び第２当接部（凸条面２９ｂ）が弾性変形可能なものである。
【符号の説明】
【００３０】
１１              本支持具
１３ａ、１３ｂ    辺
２１              第１部分形成部分
２１ａ            第１部分
２２              第２部分形成部分
２２ａ            第２部分
２３              第３部分形成部分
２３ａ            第３部分
２４              第４部分形成部分
２４ａ            第４部分
２５              第５部分形成部分
２５ａ            第５部分
２９ａ            凸条面
２９ｂ            凸条面
１０１              商品陳列棚
１０３              上面
１０５              レール部
１０５ａ            下凸状部
１０５ｂ            上凸状部
１０６              入口
１０７              溝内部
１０８ａ            第１嵌入溝
１０８ｂ            第２嵌入溝
１２１              外部空間
２０１              商品
３０１              指
４０１              価格表示カード
５０１              合成樹脂板
５０３              一主表面
５０４              他主表面
５２１              第１折曲線
５２２              第２折曲線
５２３              第３折曲線
５２４              第４折曲線
【図１】
0003176846.tif 000003
【図２】
0003176846.tif 000004
【図３】
0003176846.tif 000005
【図４】
0003176846.tif 000006
【図５】
0003176846.tif 000007
【図６】
0003176846.tif 000008
【図７】
0003176846.tif 000009
【図８】
0003176846.tif 000010
【図９】
0003176846.tif 000011